(57)【要約】【課題】  発進立坑の底部に設置した発進架台と、その発進架台上に配置して推進管を地中へ押し出す元押しジャッキと、その元押しジャッキの背面に設置して押し出し時の反動を受ける支圧壁とで構成した推進工法の元押装置において、断面円形の小径の発進立坑でも推進管の吊り込みを安全に且つ作業性良く行えるようにする。【解決手段】  左右の元押しジャッキ５の後端部を支圧壁３に対してヒンジ７で上下方向へ回動可能に枢支し、左右の元押しジャッキ５の上方の発進立坑１の内壁位置にウインチ８を取り付け、そのウインチ８のワイヤー８ａを左右の元押しジャッキ５の先端部にそれぞれ脱着可能に連結し、ウインチ８でワイヤー８ａを巻き取って左右の元押しジャッキ５を起立できるようにする。【選択図】  図３
0003162251.tif 000002
【実用新案登録請求の範囲】
【請求項１】
発進立坑の底部に設置した発進架台と、その発進架台上に配置して推進管を地中へ押し出す左右の元押しジャッキと、その左右の元押しジャッキの背面に設置して押し出し時の反動を受ける支圧壁とで構成した推進工法の元押装置において、左右の元押しジャッキの後端部を支圧壁に対して上下方向へ回動可能に枢支し、その左右の元押しジャッキを上方へ引張して起立させる引張手段を設けたことを特徴とする、推進工法の元押装置。
【請求項２】
元押しジャッキの下面に発進架台上で所定高さに水平に配置する脚台を一体的に取り付けた、請求項１記載の推進工法の元押装置。
【請求項３】
引張手段がウインチであって、そのウインチのワイヤーを左右の元押しジャッキの先端部にそれぞれ連結し、ウインチでワイヤーを巻き取って左右の元押しジャッキを起立できるようにした、請求項１又は２記載の推進工法の元押装置。
【考案の詳細な説明】
【技術分野】
【０００１】
本考案は、発進立坑の底部に設置して掘削機と推進管を地中へ押し出すための推進工法の元押装置に関する。
【背景技術】
【０００２】
道路に発進立坑を構築する場合、道路占用の問題で小さな発進立坑が要求される場合が多い。そのときに、最低限必要となる元押しジャッキ・押輪・支圧壁・坑口壁・発進架台を坑内の底部に配置するが、立坑寸法が狭くて短い場合はこれらの機器の設置が不可能な場合がある。
【０００３】
一般的な固定式の元押装置では、元押しジャッキの寸法が大きいから、推進管を元押しジャッキと干渉しないように斜めに吊り込む必要があり、作業に危険を伴う問題がある。仮に推進管を水平に吊り込む場合は、元押しジャッキを一度坑内から撤去して地表面に引き上げ、推進管を発進架台に配置して押し出し位置に移動させた後、再度元押しジャッキを設置する必要がある。しかし、この方法は作業効率が非常に悪く、工期が長くなる。
【０００４】
一方、元押しジャッキのシリンダーロッドを複数段に伸縮できる多段式にし、押し出しに必要なストロークを確保しつつ縮退時は全長を短縮できる構造のものがあるが（例えば特許文献１参照）、コストがかかる問題がある。また、元押しジャッキがサイド方向に開く元押装置も存在するが、断面円形の発進立坑内ではサイドの余裕が少ないから大きく開くことはできず、効果は限定的である。
【先行技術文献】
【特許文献】
【０００５】
【特許文献１】特開２００１−２００６９２号公報
【考案の概要】
【考案が解決しようとする課題】
【０００６】
本考案が解決しようとする課題は、従来のこれらの問題点を解消し、断面円形の小径の発進立坑でも推進管の吊り込みを安全に且つ作業性良く行えるようにすることにある。
【課題を解決するための手段】
【０００７】
かかる課題を解決した本考案の構成は、
１）  発進立坑の底部に設置した発進架台と、その発進架台上に配置して推進管を地中へ押し出す左右の元押しジャッキと、その左右の元押しジャッキの背面に設置して押し出し時の反動を受ける支圧壁とで構成した推進工法の元押装置において、左右の元押しジャッキの後端部を支圧壁に対して上下方向へ回動可能に枢支し、その左右の元押しジャッキを上方へ引張して起立させる引張手段を設けたことを特徴とする、推進工法の元押装置
２）  元押しジャッキの下面に発進架台上で所定高さに水平に配置する脚台を一体的に取り付けた、前記１）記載の推進工法の元押装置
３）  引張手段がウインチであって、そのウインチのワイヤーを左右の元押しジャッキの先端部にそれぞれ連結し、ウインチでワイヤーを巻き取って左右の元押しジャッキを起立できるようにした、前記１）又は２）記載の推進工法の元押装置
にある。
【考案の効果】
【０００８】
本考案の前記１）記載の構成によれば、推進管を吊り込む前に、引張手段で引張して左右の元押しジャッキを起立させると、発進架台上に推進管の長さ以上のスペースが形成される。したがって、推進管を水平の姿勢のまま吊り込んで発進架台に降ろすことが可能となるから、従来技術のように推進管を斜めに吊り込んだり、左右の元押しジャッキを一時撤去する作業が不要になり、安全で作業性が向上する。
【０００９】
本考案の前記２）記載の構成によれば、左右の元押しジャッキを起立させると、脚台も元押しジャッキとともに上方へ移行し、発進架台上に推進管の長さのおよそ２倍となる広いスペースが形成される。したがって、吊り込んだ推進管を発進架台の任意の位置に降ろすことができ、作業性がより良好なものとなる。
【図面の簡単な説明】
【００１０】
【図１】実施例の元押装置の側面図である。
【図２】実施例の元押装置の平面図である。
【図３】実施例の元押しジャッキの起立を示す説明図である。
【考案を実施するための形態】
【００１１】
本考案の元押しジャッキの引張手段としては、ウインチが低コストで好ましいが、その他、チルホールやチェーンブロック等の様々な装置も使用可能で、元押しジャッキの重量や寸法、引張手段の設置場所の制約等に応じて適宜選択される。以下、本考案を実施するための形態を実施例と図面に基づいて具体的に説明する。
【実施例】
【００１２】
図１は実施例の元押装置の側面図、図２は実施例の元押装置の平面図、図３は実施例の元押しジャッキの起立を示す説明図である。図中、１は発進立坑、２は坑口壁、２ａは止水器、３は支圧壁、４は発進架台、５は元押しジャッキ、５ａはシリンダーロッド、５ｂは通し輪、６は脚台、７はヒンジ、８はウインチ（引張手段）、８ａはワイヤー、８ｂは操作部、９は押輪、１０は推進管、Ｇは地盤である。
【００１３】
本実施例の元押装置は、図１，２に示すように、断面円形の発進立坑１の底部側面に坑口を支える坑口壁２を形成し、その坑口壁２の周囲に推進管１０との間の隙間を埋めて止水する止水器２ａを取り付けている。坑口壁２と対向する発進立坑１の側面には支圧壁３を構築し、その支圧壁３と坑口壁２との間の左右位置に２体の発進架台４を架設している。
【００１４】
元押しジャッキ５は油圧式で、その後端部を支圧壁３に対してヒンジ７で上下方向へ回動可能に枢支し、左右の元押しジャッキ５の下面には横長の脚台６を前後に一体的に取り付け、左右の元押しジャッキ５の先端部には通し輪５ｂをそれぞれ取り付けている。
【００１５】
元押しジャッキ５の上方の発進立坑１の内壁位置にはウインチ８を取り付け、そのウインチ８のワイヤー８ａを引き出して左右の元押しジャッキ５の通し輪５ｂにそれぞれ脱着可能に連結している。なお、ウインチ８は低い位置に取り付け、ワイヤー８ａの途中を滑車で転向してもよい。
【００１６】
本実施例では、推進管１０を吊り込む前に、図３に示すように、作業者がウインチ８の操作部８ｂを操作してワイヤー８ａを巻き取ると、左右の元押しジャッキ５の先端が引っ張られて脚台６とともに上方へ回動し、垂直の姿勢に起立する。これにより、発進架台４上には推進管１０の長さのおよそ２倍となる広いスペースが形成される。
【００１７】
この状態で推進管１０をクレーン等で地表から吊り込み、発進架台４の任意の位置に降ろした後、押し出し位置へ移動させる。このとき、推進管１０は元押しジャッキ５に干渉しないから、従来技術のように斜めに吊り込んだり元押しジャッキ５を一時撤去する必要はなく、安全で迅速に作業できる。その後、作業者がウインチ８の操作部８ｂを操作してワイヤー８ａを繰り出すと、左右の元押しジャッキ５が自重でゆっくりと下方へ回動し、発進架台４上に配置される。
【００１８】
そして、左右の元押しジャッキ５のシリンダーロッド５ａの先端に押輪９を配置して伸張させ、吊り込んだ推進管１０の後端に押輪９を挿入して押し出し、推進管１０が地中に推進して掘進する。推進管１０が地中に埋入すると、シリンダーロッド５ａを縮退させて押輪９を取り外し、前記と同様にウインチ８で左右の元押しジャッキ５を起立させて次の推進管１０を吊り込み、以上の工程を繰り返すことで管路が構築される。
【産業上の利用可能性】
【００１９】
本考案の技術は、道路占用の問題で小さな発進立坑が要求される場合に有用である。
【符号の説明】
【００２０】
１  発進立坑
２  坑口壁
２ａ  止水器
３  支圧壁
４  発進架台
５  元押しジャッキ
５ａ  シリンダーロッド
５ｂ  通し輪
６  脚台
７  ヒンジ
８  ウインチ（引張手段）
８ａ  ワイヤー
８ｂ  操作部
９  押輪
１０  推進管
Ｇ  地盤
【図１】
0003162251.tif 000003
【図２】
0003162251.tif 000004
【図３】
0003162251.tif 000005